(57)【特許請求の範囲】
【請求項１】
バストの下端周縁から脇側周縁に沿うバージスラインにワイヤーを装着していないカップ部を有する衣類であって、
少なくともバスト最下端周縁より脇側にかけて略Ｌ形状に延在するカップ支え材を備え、該カップ支え材は前記バージスラインを挟むカップ部と土台部との間に介在させ、該カップ支え材の脇側はカップ部の脇側を完全に囲んで該カップ部の上端縁まで達し、該カップ部の上縁に連続するストラップ連結位置へ延在すると共に、該カップ支え材の脇側上端外縁は脇線ラインまで延在し、かつ、
上記カップ支え材は樹脂成形材よりなり、該カップ支え材は上記土台部側の支持部分からバージスラインより内側部分のバスト造形部分がバストの隆起に沿って起き上がる立体形状としていることを特徴とするカップ部を有する衣類。
【請求項２】
上記カップ支え材はバージスラインに沿って、脇側上端縁から最下端周縁を通り、前中心上端縁まで延在する請求項１に記載のカップ部を有する衣類。
【請求項３】
上記カップ支え材は樹脂糸からなる不織布を圧縮成形した成形材、あるいは、発泡ウレタンからなる成形材よりなる請求項１または請求項２に記載のカップ部を有する衣類。
【請求項４】
上記カップ支え材はストラップと直接縫着している請求項１乃至請求項３のいずれか１項に記載のノンワイヤーブラジャー。
【請求項５】
バストを覆うカップ部を立体成形した成形材より形成し、該カップ部の成形材は樹脂糸からなる不織布を圧縮成形した成形材、あるいは、発泡ウレタンからなる成形材よりなる請求項１乃至請求項４のいずれか１項に記載のカップ部を有する衣類。
【請求項６】
上記カップ部と上記カップ支え材とを縫着あるいは一体成形している請求項５に記載のノンワイヤーブラジャー。
【請求項７】
上記カップ支え材を介して土台部とカップ部とを連結している請求項１乃至請求項５のいずれか１項に記載のノンワイヤーブラジャー。
【請求項８】
上記カップ部と土台部とを縫着し、カップ部の外面あるいは内面に上記カップ支え材を重ね、該カップ支え材を少なくとも土台部と縫着している請求項１乃至請求項５のいずれか１項に記載のノンワイヤーブラジャー。
【発明の詳細な説明】
【０００１】
【発明の属する技術分野】
本発明は、ワイヤーを装着していないカップ部を有する衣類であって、ノンワイヤーとすることで肌当たりを良くし、かつ、ノンワイヤーとしながらもバージスラインが明確となるようなバスト造形性機能も保持するものである。
【０００２】
【従来の技術】
ブラジャー等のカップ部を有する衣類では、立体的なバスト造形機能を持たせるために、バージスラインに当たるカップ部下縁にワイヤーを装着し、バストアップ等の補整・造形効果を高めているものが多い。
この種のワイヤー入りブラジャーは、ワイヤーによりバージスラインを固定して脇側に広がるように流れるバストの肉を、内側に寄せてバストシルエットを美しく補整、造形できるようにしている。また、店頭における平置き展示時に、カップが膨らんだ形状、所謂カップシルエットを保持できる利点がある。
【０００３】
ワイヤー入りとした場合、上記利点を有するが、肌当たりがきつくなり、ワイヤー跡が肌に残ったり、着用中に違和感や強い締め付け感を感じる等の問題がある。そのため、ワイヤー無しのノンワイヤーを求めるユーザーも多い。
【０００４】
しかしながら、ノンワイヤーとすると、ワイヤーにより為されていたバストの補整や造形性の機能が劣り、特に、カップ部と土台部とを明確に区別するワイヤーによるバージスラインの固定が困難となる問題がある。
特に、バストの肉が脇側に流れることを抑止する機能が乏しい。かつ、布の切り替えだけでは、バストの垂れを抑止してバストを起き上がらせて前方へ膨出させる機能も乏しく、所謂、ブラジャーの「寄せて挙げる」補整・造形機能が低下する問題がある。
さらに、店頭における平置き展示時に、カップ部が膨出する支えがないため、カップシルエットが崩れてしまい、展示上での問題が生じる。
【０００５】
なお、従来、実公平４−１７５２２号において、良好な整形が確実にできるブラジャーとして図１２（Ａ）（Ｂ）（Ｃ）に示すブラジャーが提案されている。
このブラジャーではカップ部１のバージスラインＬの底辺に沿って、内周側にカップ保形体２がカップ布３の裏面に重ねて縫着されていると共に、外周側にカップ支持体４が添布（土台布）５の裏面に重ねて縫着され、かつ、カップ支持体４は左右のカップ側の先端を連結部４ａで連結されている。上記カップ保形体２とカップ支持体４とはシリコン樹脂等の軟質合成樹脂等の弾性体より一体形成されている。
なお、このブラジャーでは、図１２（Ｃ）に示すように、カップ布３の底辺の形状を保持するために、カップ保形体２とカップ支持体４との境界位置にワイヤー６が埋設されている。
【０００６】
【発明が解決しようとする課題】
前記従来の図１２に示すブラジャーでは、弾性体よりなる樹脂でカップ支持体４よりカップ保形体２が立ち上がるように一体形成され、カップの底辺に配置されているため、バストの下垂れを抑止して立ち上がらせる機能は保持している。
しかしながら、バストの底辺に配置されているだけであり、バストの横広がり、即ち、脇側への肉の流れを抑制する機能はない。特に、バストが上方に持ち上げられると、バストが豊かな場合に、脇側への肉の流れは増加することとなる。
この点に関して、カップ支持体４に左右カップ側を連結する中央の連結部４ａを設けることにより、左右カップの頂部間、即ち、乳頭間の寸法を所定寸法とすることで、バストの横方向への広がりを防止している。
しかしながら、着用者によって乳頭間の寸法は種々相違し、一律に所定寸法となるように矯正すると、長時間着用時には窮屈感を生じることとなる。また、中央によせる矯正力が余程強くない限り、乳頭間寸法が設計寸法より広い着用者では、ブラジャーのカップの頂部からバストの乳頭が左右脇側にずれた自然位置に戻り易く、その場合には、バストの肉の脇側への流れが発生する。これを阻止できる強い矯正力を持たせると、上記のように窮屈感を与えることとなる。
【０００７】
また、カップの底辺に沿ってカップ保形体２とカップ支持体４を配置しているだけであるため、脇側でのバージスラインの固定が為されていない。ノンワイヤーブラジャーおよびワイヤー入りブラジャーのいずれのブラジャーにおいても、バストの脇側でバージスラインを固定し、かつ、脇側の肉を押さえて、脇側をすっきりと押さえることにより、バストのシルエットを美麗に見せることができる。しかしながら、上記図１１のブラジャーでは、前側中央の連結部４ａの存在でバストの横流れを抑制しようとしているが、バストの横流れを押さえるには不十分で、この点でも補整機能が劣る問題がある。
【０００８】
本発明は上記問題に鑑みてなされたもので、ノンワイヤーでありながら、ワイヤーの機能であるバージスラインの明確化を図ることができ、かつ、バストの脇側の横流れを防止すると共に脇側の肉を押さえて美麗なバストシルエットを与えることができ、バージス部分の締め付け圧迫を軽減することが出来るブラジャー等のカップ部を有する衣類を提供することを課題としている。
【０００９】
【課題を解決するための手段】
上記課題を解決するため、本発明は、バストの下端周縁から脇側周縁に沿うバージスラインにワイヤーを装着していないカップ部を有する衣類であって、
少なくともバスト最下端周縁より脇側にかけて略Ｌ形状に延在するカップ支え材を備え、該カップ支え材は前記バージスラインを挟むカップ部と土台部との間に介在させ、該カップ支え材の脇側はカップ部の脇側を完全に囲んで該カップ部の上端縁まで達し、該カップ部の上縁に連続するストラップ連結位置へ延在すると共に、該カップ支え材の脇側上端外縁は脇線ラインまで延在し、かつ、
上記カップ支え材は樹脂成形材よりなり、該カップ支え材は上記土台部側の支持部分からバージスラインより内側部分のバスト造形部分がバストの隆起に沿って起き上がる立体形状としていることを特徴とするカップ部を有する衣類を提供している。
【００１０】
上記構成によれば、ワイヤーを用いていないため、ワイヤーによる締め付け感がなく、ワイヤー跡が付かず、かつ、ワイヤーが無い分、軽量となる。
しかも、ワイヤーを用いていないが、立体形状に成形したカップ支え材によりバスト最下端位置から脇側上端にかけてのバージスラインを確実に固定することができる。また、バージスラインより隆起するバストに沿う内側部分ではカップ支え材を起き上がるように立体成形しているため、バストをカップ支え材の広い面で下方から持ち上げることができ、其の際、面的な保持であるため、ワイヤーと比較して当たりがソフトで、造形性を備えながら着用感を高めることができる。  さらに、バストの横方向に広がって脇側へと流れる肉は、脇線ラインまで延在する広い面積で配置したカップ支え材で抑制するため、バストの脇側をスッキリとさせることができる。
さらにまた、カップ支え材の幅広の脇側上端近傍に連結されるストラップにより、カップ支え材が上方へ引っ張られるため、該カップ支え材によるバージスラインの固定と安定を確実に図ることができる。
【００１１】
ストラップにより上方へ引っ張る作用をカップ支え材に強く作用させるために、カップ支え材をストラップと直接縫着することが好ましい。
【００１２】
カップ支え材は、上記のように、少なくともバストの下垂および脇流れが発生しやすいバージスラインの最下端位置より脇側上端まで配置しているが、前部中央側へバージスラインに沿って延長させ、その先端を前中心上端縁まで配置することが好ましい。
このように、バージスラインの全長に沿ってカップ支え材を配置すると、前中心先端から脇側先端までのバージスラインの全域をカップ支え材で固定でき、バストシルエットを良好とすることが出来る。
なお、カップ支え材は一体成形で連続させてもよいし、分割した状態で成形して、連続配置してもよい。
【００１３】
上記カップ支え材はポリエステル、ナイロン等の樹脂糸からなる不織布を圧縮成形した成形材から構成しても良いし、発泡ウレタンからなる成形材より構成してもよく、所要の硬さと弾性を有するものが好ましい。
上記成形材よりカップ支え材を形成すると、肌当たりをソフトとでき、着用感をより優れたものとすることができる。かつ、成形性も良いため、精度よく所要の立体形状に成形することができる。
【００１４】
カップ支え材のみでなく、バストを覆うカップ部も、立体成形した成形材より形成してもよい。
この場合、カップ部も樹脂糸からなる不織布を圧縮成形した成形材、あるいは、発泡ウレタンからなる成形材とすることが好ましいが、カップ支え材よりも柔らかくしてクッション性を持たせると共に厚くしている。
このカップ部はバストに被せる略半球状に立体成形しており、バストのシルエット自体をカップ部で構成するため、バストシルエットを良好とすることができる。  上記成形材より立体成形するカップ部とカップ支え材とは、縫着して結合しても良いし、カップ部とカップ支え材とを一体成形してもよい。
【００１５】
カップ部と土台布とを縫着し、カップ部の外面あるいは内面に上記カップ支え布を重ね、該カップ支え布を少なくとも土台布と縫着してもよい。
【００１６】
上記カップ支え布は、バージスラインに沿う下側周縁からバスト隆起側への幅は、最も幅の狭い部分で５ｍｍ以上とすることが好ましい。
また、脇側の略Ｌ形部分は幅広部分では１０ｍｍ以上とすることが好ましい。
上記のように広幅とすることにより、ソフトな素材からなるカップ支え材により、面的な支持で造形性を付与することができる。
【００１７】
本発明のカップ部を有する衣類はブラジャーに好適に用いられ、カップ形状はフルカップ、３／４カップ、１／２カップでもよく、かつ、後開閉タイプ、前開閉タイプのいずれにも適用できる。さらに、ブラジャーに限らず、カップ付きスリップ（所謂ブラスリップ）、カップ付きキャミソール、カップ付きランジェ、カップ付きティディ等、カップ部を有する衣類に適用できる。
【００１８】
【発明の実施の形態】
以下、発明の実施形態を図面を参照して説明する。
図１乃至図４は、本発明の第１実施形態に係るブラジャー１０を示し、左右のカップ布１１をそれぞれ左右の土台布１２に縫着し、これら左右の土台布１２を前中心で縫着すると共に脇側端を左右のバック布１３と縫着して、背面側中央で開閉するタイプである。上記左右のカップ布１１は上下カップ布１１ａと１１ｂとを縫着して膨出させた形状としている。
【００１９】
上記左右の各カップ布１１と土台布１２との間には、バージスラインＢＬの全周に沿って、その前中心点Ｐ１より最下端Ｐ２を通り脇側の上端Ｐ３にかけてカップ支え材１５を取り付け、カップの脇側部分はカップ支え材１５により形成している。
【００２０】
上記カップ支え材１５は樹脂糸からなる不織布を圧縮成形して立体形状とした成形材より形成しており、本実施形態ではポリエステル樹脂よりなる不織布を２００℃前後で３０秒〜９０秒加熱して成形している。
【００２１】
このカップ支え材１５はバージスラインＢＬを境界としてバスト形状に沿って立ち上がるバスト造形部分１５ａと、支持部分１５ｂとからなる。
上記バージスラインＢＬに沿った境界で、バスト造形部分１５ａは支持部分１５ｂより急激な傾斜角度で屈曲して立ち上がるが、脇側では次第に傾斜角度が漸減し、脇側上端近傍では屈曲せずに、バスト造形部分１５ａと支持部分１５ｂとは連続した傾斜形状となっている。
【００２２】
上記バスト造形部分１５ａの上端縁は円弧形状で、前中心上端点Ｐ１から最下端位置Ｐ２の間の部分１５ａ−１はバージスラインＢＬから立ち上がる幅Ｗを略同一とし、該幅Ｗを５ｍｍ以上としている。最下端位置Ｐ２から脇側上端にかけて略Ｌ形状ととなり、その横部分１５ａ−２は次第に幅広となって、縦部分のカップの脇側部分１５ａ−３へと連続し、該脇側上端はストラップ１６に直接縫着している。
支持部分１５ｂは、最下端位置Ｐ２から前側では土台布１２の肌側全面に重ね合わせる部分１５ｂ−１とし、最下端位置Ｐ２から脇側端Ｐ４に掛ける部分１５ｂ−２は土台布１２の上端縁に沿って重ね合わせる部分としている。
【００２３】
上記カップ支え材１５の支持部分１５ｂは土台布１２の肌側に配置して土台布１２と縫着し、バスト造形部分１５ａの上端縁はカップ布１１と縫着している。
なお、カップ布１１とバスト造形部分１５ａの外面には装飾布（図示せず）を取り付けてもよい。
【００２４】
上記ブラジャーでは、カップ支え材１５にバージスラインＢＬに沿った屈曲を形成しているため、ノンワイヤーでありながら、バージスラインＢＬを明確に固定できる。
さらに、バスト造形部分１５ａがバージスラインＢＬより立ち上がるため、バストを下方から保持して膨出させて造形性を与えることができる。かつ、ワイヤーと比較して幅広い面でソフトに保持するため、肌当たりがよく、圧迫感を与えないと共にワイヤーを用いた場合に生じるワイヤー跡を発生させない。
【００２５】
また、脇側では、カップの脇側をカップ支え材１５で形成して広い面積でソフトに押さえてバストを前側に寄せる機能を果たすと共に、バストの肉が横方向に広がって脇へと流れるのを確実に抑制でき、脇側をスッキリとさせることができる。
【００２６】
さらに、ストラップ１６にカップ支え材１５を直接に縫着してストラップ１６により上方へと引き上げているため、カップ支え材１５の他端の前側中心位置からストラップ１６と縫着する脇側上端までの全周をバージスラインＢＬから位置ずれすることなく、固定することができる。
【００２７】
図５は第１実施形態の変形例を示し、カップ支え材１５’をカップ布１１の外側表面に配置し、該カップ支え材のバスト造形部分１５ａ’にはバージスラインの最下端位置近傍で略Ｖ形状の切り込み部１５ｂ’を設けている。該切り込み部１５ｂ’の奥端はバージスラインＢＬの達している。
上記のようにカップ支え材１５’を外側表面に配置した場合に、上記切り込み部１５ｂ’を設けるとデザイン性を高めることができる。
【００２８】
図６は第２実施形態を示す。
第２実施形態では、カップ支え材１５’は、カップ１１の最下端位置Ｐ２から脇側上端位置Ｐ３まで配置して、略Ｌ字形状としている。
即ち、バストの下垂は最下端点Ｐ２から脇側にかけて発生しやすいため、最下端点から脇側にかけてカップ支え材１５’を配置しても、言い換えると、最下端点から前中心点の間はカップ支え材を配置しなくとも、バストのバージスラインＢＬの固定とバストの肉の脇流れを防止して、バストの造形性を高めることができる。
【００２９】
なお、上記実施形態ではカップ支え材１５は前中心よりストラップと連結する脇側上端までを１枚の連続したカップ支え材１５で形成しているが、バージスラインＢＬに沿った下側周縁と脇側部分とを別体として形成して、これを連続的に配置して取り付けてもよい。
また、カップ支え材１５を土台布１２と縫着している部分では、その上端縁をカップ布１１と縫着せずに遊離させておいてもよい。
【００３０】
図７は第３実施形態を示す。
第３実施形態では、左右カップ１８を発泡ウレタンより成形している点と、前中央開閉タイプとしている点が第１実施形態と相違する点である。
左右カップ１８と土台布１２との間にカップ支え材１５を配置しており、該カップ支え材１５は発泡ウレタンよりなるカップ１８よりは薄いが柔軟性を持たせず、バージスラインＢＬよりバスト側はカップ１８に重ね合わせて、バストを下方より持ち上げると共に脇側への肉流れを押さえている点は第１実施形態と同様である。
【００３１】
図８は第４実施形態を示す。
第４実施形態では、カップ部分２０とカップ支え材部分２１とを発泡ウレタンにより一体成形した部材２２を設けている。
カップ部分２０は略半球状に膨出させると共に乳頭を囲む部分２０ａは発泡ウレタンを圧縮せずに弾力性を持たせて肌当たりを良くしている。この部分２０ａの外周部分発泡ウレタンを圧縮して成形して、クッション性を無くすと共に薄くしている。
【００３２】
カップ部分２０の上記部分２０ａの外周からバージスラインＢＬにかける部分２０ｂは、カップ支え材部分２１のバスト造形部分２１ａを兼ねている。バージスラインＢＬを境界としてカップ支え材部分２１の支持部分２１ｂへと連続し、該支持部分２１ｂは土台布１２の肌側全面に重ねる部分と脇側部分とからなる。脇側部分の上端にはストラップ１６を直接連結している。
【００３３】
上記第４実施形態のブラジャーでは、カップ部分２０も立体成形した成形材で形成しているため、バスト形状をカップ部分２０とカップ支え材部分２１のバスト造形部分２１とで補整できる。かつ、従来の補整ブラジャーでは肌当たりがきついが、このブラジャーは肌当たりを柔らかくしながら、バスト全体を補整することができる。
【００３４】
図９は第５実施形態のブラスリップを示し、カップ材３０の部分は第１実施形態と同一形状のブラジャーとしている。
また、カップ付きティディの場合も同様に、カップ材を第１実施形態と同一形状のブラジャーから構成してもよい。
【００３５】
図１０（Ａ）（Ｂ）は第６実施形態のカップ付きキャミソールを示し、ベア天竺からなるキャミソールのバスト部分の肌側に、第４実施形態と同様な、カップ部分４０ａとカップ支え部分４０ｂとを発泡ウレタンで一体成形したカップ材４０を取り付けている。また、カップ部材４０のカップ支え部材４０ｂの脇側上端にストラップ４１を連結し、その他端を背面側のトップ４２の上端に連結している。さらに、カップ支え材４０ｂの脇側に連結した背面布４３を背面側の内面に縫着している。
【００３６】
図１１（Ａ）（Ｂ）は第７実施形態のカップ付きランジュを示し、ベア天竺（伸縮ニット）からなるランジュ５１のバスト部分の肌側に、第３実施形態と同様な、カップ部分５０ａは発泡ウレタンの成形材からなり、カップ支え材５０ｂは不織布を圧縮成形した成形材からなるカップ材５０を取り付けている。カップ支え材５０ｂの脇側上端に連結したストラップ５２はトップ内面に縫着している。
【００３７】
【発明の効果】
以上の説明より明らかなように、本発明によれば、ワイヤーを用いる代わりに、不織布や発泡ウレタン等を圧縮して立体的に成形したカップ支え材を用いているため、ワイヤー機能のバージスラインの固定と造形性をノンワイヤーのカップ部に付与することができる。
よって、ワイヤーを用いた場合に生じていた締め付け感や無くすと共にワイヤー跡を発生させず、かつ、ワイヤーを無くす分だけ軽量化を図ることができる。
【００３８】
さらに、ワイヤーでは線状の保持であるが、カップ支え材の立ち上げたバスト造形部分では、広い幅で面状にバストを下方から保持するため、バストの造形性を高めることができる。さらにまた、脇側部分では広い面積で脇側を押さえるため、バストの肉の横に広がり脇側へ流れるのを抑制でき、脇側をスッキリとさせることができ、バストシルエットを良好に保つことができる。
【００３９】
さらにまた、カップ支え材をストラップと直接に連結できるため、ストラップによる上方への引っ張りによりバスト造形部分と支持部分の境界のバージスラインを位置ずれすることなく固定でき、かつ、境界部分で角度をつけて屈曲させているため、ノンワイヤーでありながら、バージスラインをくっきりとすることができ、この点からもバストの造形性を高めることができる。
【００４０】
さらに、カップ部分とカップ支え部分とを一体に成形すると、カップ部分の全体を肌当たり良く、補整することもできる。
【００４１】
また、カップ支え材によりカップを膨出させているため、販売時において陳列台に平置きした場合にも、ノンワイヤーのブラジャーで発生していたカップ部が膨出しない欠点を無くすことができる。
【図面の簡単な説明】
【図１】  第１実施形態のブラジャーを正面側から見た斜視図である。
【図２】  図１のブラジャーを裏面側からみた斜視図である。
【図３】  図１のブラジャーを側面から見た図面である。
【図４】  カップ支え材を示す図面である。
【図５】  第１実施形態の変形例を示す図面である。
【図６】  第２実施形態のブラジャーの斜視図である。
【図７】  第３実施形態のブラジャーの斜視図である。
【図８】  （Ａ）は第４実施形態のブラジャーの斜視図、（Ｂ）はカップ部分とカップ支え材部分とを一体成形した部材を示す図面、（Ｃ）は（Ｂ）の側面図である。
【図９】  第５実施形態を示す斜視図である。
【図１０】  （Ａ）は第６実施形態を示す正面から見た斜視図、（Ｂ）は背面図である。
【図１１】  （Ａ）は第７実施形態を示す正面から見た斜視図、（Ｂ）は背面図である。
【図１２】  （Ａ）（Ｂ）（Ｃ）は従来例を示す図面である。
【符号の説明】
１０  ブラジャー
１１  カップ布
１２  土台布
１５  カップ支え材
１５ａ  バスト造形部分
１５ｂ  支持部分
１６  ストラップ
ＢＬ  バージスライン
Ｐ１  前中心点
Ｐ２  最下端点
Ｐ３  脇側上端点
【図１】
0004773642.tif 000002
【図２】
0004773642.tif 000003
【図３】
0004773642.tif 000004
【図４】
0004773642.tif 000005
【図５】
0004773642.tif 000006
【図６】
0004773642.tif 000007
【図７】
0004773642.tif 000008
【図８】
0004773642.tif 000009
【図９】
0004773642.tif 000010
【図１０】
0004773642.tif 000011
【図１１】
0004773642.tif 000012
【図１２】
0004773642.tif 000013